(57)【要約】【課題】置き忘れや取り間違え防止に関する利用者の使い勝手を向上することが可能な電子機器を提供する。【解決手段】電子機器は、ユーザを介した人体通信、又は、近距離通信により第１機器（３０Ａ）と通信を行う通信部（１１）と、前記通信部と前記第１機器との通信が成立すべきタイミングを検知する検知部（１３）と、前記検知部が前記タイミングを検知した場合に、前記通信部と前記第１機器との通信状態に基づき、前記第１機器に関する報知を行う報知部（１９）と、を備える。【選択図】図１
2014174811.tif 000002
【特許請求の範囲】
【請求項１】
ユーザを介した人体通信、又は、近距離通信により第１機器と通信を行う通信部と、
前記通信部と前記第１機器との通信が成立すべきタイミングを検知する検知部と、
前記検知部が前記タイミングを検知した場合に、前記通信部と前記第１機器との通信状態に基づき、前記第１機器に関する報知を行う報知部と、
を備えることを特徴とする電子機器。
【請求項２】
前記報知部は、前記通信部と前記第１機器との通信状態に応じて、前記報知を行うことを特徴とする請求項１記載の電子機器。
【請求項３】
前記通信部と前記第１機器との通信状態は、前記第１機器の識別情報の受信状態に基づき判定されることを特徴とする請求項１または２記載の電子機器。
【請求項４】
前記ユーザの動作を検知する動作検知部を備え、
前記検知部は、前記動作検知部が検知した前記ユーザの動作に基づいて、前記タイミングを検知することを特徴とする請求項１から３のいずれか１項記載の電子機器。
【請求項５】
前記検知部は、前記通信部との通信が可能な機器と前記ユーザとの接触状態に基づいて、前記タイミングを検知することを特徴とする請求項１から４のいずれか１項記載の電子機器。
【請求項６】
前記ユーザの位置情報を検出する位置検出部を備え、
前記検知部は、前記ユーザの位置情報に基づいて、前記タイミングを検知することを特徴とする請求項１から５のいずれか１項記載の電子機器。
【請求項７】
前記報知部は、前記通信部と前記第１機器との通信が途切れた位置を報知することを特徴とする請求項１から６のいずれか１項記載の電子機器。
【請求項８】
前記第１機器は、前記ユーザが使用する物品に備えられ、
前記電子機器は、前記ユーザに保持されることを特徴とする請求項１から７のいずれか１項記載の電子機器。
【請求項９】
前記電子機器は、前記ユーザが使用する物品に備えられ、
前記第１機器は、前記ユーザに保持されることを特徴とする請求項１から７のいずれか１項記載の電子機器。
【発明の詳細な説明】
【技術分野】
【０００１】
本発明は、電子機器に関する。
【背景技術】
【０００２】
従来から、複数の人が集まる場において、靴、傘、グラス等、自分のものと他人のものとの取り間違いを防止する方法が提案されている。例えば、特許文献１には、靴の取り間違いを防止する目印に関する技術が提案されている。
【先行技術文献】
【特許文献】
【０００３】
【特許文献１】登録実用新案第３０１７８３５号公報
【発明の概要】
【発明が解決しようとする課題】
【０００４】
しかしながら、特許文献１に記載の技術では、利用者に自己の靴への目印の取り付けを強いるため、使い勝手がよくなかった。
【０００５】
そこで、本発明は上記の課題に鑑みてなされたものであり、置き忘れや取り間違え防止に関する利用者の使い勝手を向上することが可能な電子機器を提供することを目的とする。
【課題を解決するための手段】
【０００６】
本発明の電子機器（１０Ａ，１０Ｂ，３０Ｃ）は、ユーザを介した人体通信、又は、近距離通信により第１機器（３０Ａ，３０Ｂ，１０Ｃ）と通信を行う通信部（１１，３２）と、前記通信部と前記第１機器との通信が成立すべきタイミングを検知する検知部（１３，３３）と、前記検知部が前記タイミングを検知した場合に、前記通信部と前記第１機器との通信状態に基づき、前記第１機器に関する報知を行う報知部（１９，３６）と、を備える。
【０００７】
この場合において、前記報知部は、前記通信部と前記第１機器との通信状態に応じて、前記報知を行うこととしてもよい。また、本発明の電子機器において、前記通信部と前記第１機器との通信状態は、前記第１機器の識別情報の受信状態に基づき判定されることとしてもよい。
【０００８】
また、本発明の電子機器は、前記ユーザの動作を検知する動作検知部（１３，３３）を備え、前記検知部は、前記動作検知部が検知した前記ユーザの動作に基づいて、前記タイミングを検知することとしてもよい。また、本発明の電子機器において、前記検知部は、前記通信部との通信が可能な機器と前記ユーザとの接触状態に基づいて、前記タイミングを検知することとしてもよい。
【０００９】
また、本発明の電子機器は、前記ユーザの位置情報を検出する位置検出部（１７）を備え、前記検知部は、前記ユーザの位置情報に基づいて、前記タイミングを検知することとしてもよい。さらに、本発明の電子機器において、前記報知部は、前記通信部と前記第１機器との通信が途切れた位置を報知することしてもよい。
【００１０】
また、前記第１機器は、前記ユーザが使用する物品に備えられ、前記電子機器は、前記ユーザに保持されることとしてもよい。あるいは、前記電子機器は、前記ユーザが使用する物品に備えられ、前記第１機器は、前記ユーザに保持されることとしてもよい。
【００１１】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１２】
本発明は、置き忘れや取り間違え防止に関する利用者の使い勝手を向上することが可能な電子機器を提供するという効果を奏する。
【図面の簡単な説明】
【００１３】
【図１】図１は、第１の実施形態に係る電子機器システムの構成を示す図である。
【図２】図２（Ａ）は、第１の実施形態に係る物品側機器を備える物品の一例を示す図であり、図２（Ｂ）および図２（Ｃ）は、電子機器システムを利用している状況を示す図である。
【図３】図３（Ａ）は、第１の実施形態に係るペアリング処理において、携帯機器が実行する処理の一例を示すフローチャートであり、図３（Ｂ）は、物品側機器が実行する処理の一例を示すフローチャートである。
【図４】ペアリング情報テーブルの一例を示す図である。
【図５】図５（Ａ）は、第１の実施形態に係る判定処理において、携帯機器が実行する処理の一例を示すフローチャートであり、図５（Ｂ）は、物品側機器が実行する処理の一例を示すフローチャートである。
【図６】図６は、図５（Ａ）の処理を説明するための図である。
【図７】図７は、第２の実施形態に係る電子機器システムの構成を示す図である。
【図８】図８（Ａ）は、第２の実施形態に係る物品側機器を備える物品の一例を示す図であり、図８（Ｂ）および図８（Ｃ）は、電子機器システムを利用している状況を示す図である。
【図９】図９（Ａ）は、第２の実施形態に係る判定処理において、携帯機器が実行する処理の一例を示すフローチャートであり、図９（Ｂ）は、物品側機器が実行する処理の一例を示すフローチャートである。
【図１０】図１０は、第３の実施形態に係る電子機器システムの構成を示す図である。
【図１１】図１１（Ａ）は、第３の実施形態に係る物品側機器を備える物品の一例を示す図であり、図１１（Ｂ）および図１１（Ｃ）は、電子機器システムを利用している状況を示す図である。
【図１２】図１２（Ａ）は、第３の実施形態に係る携帯機器が実行する処理の一例を示すフローチャートであり、図１２（Ｂ）は、物品側機器が実行する処理の一例を示すフローチャートである。
【発明を実施するための形態】
【００１４】
《第１の実施形態》
以下、第１の実施形態について、図１〜図６に基づいて、詳細に説明する。図１には、第１の実施形態に係る電子機器システム５００Ａの構成がブロック図にて示されている。電子機器システム５００Ａは、図１に示すように、携帯機器１０Ａと、物品側機器３０Ａと、を備える。
【００１５】
（物品側機器３０Ａ）
物品側機器３０Ａは、例えば、ユーザが所有する物品（靴、傘等）に設けられる。本実施形態においては、図２（Ａ）に示すように、物品側機器３０Ａは、ユーザが所有する傘６０Ａの柄６１の内部や表面に設けられているものとする。
【００１６】
物品側機器３０Ａは、図１に示すように、記憶部３１と、通信ユニット３２と、制御部３３と、を備える。
【００１７】
記憶部３１は、例えば、フラッシュメモリ等の不揮発性の半導体メモリであり、物品側機器３０Ａを認識するための情報を格納する。本実施形態においては、記憶部３１は、物品側機器３０ＡのＩＤ番号を格納する。
【００１８】
通信ユニット３２は、他の機器と通信を行うものであり、例えばＢｌｕｅｔｏｏｔｈ（登録商標）、Ｆｅｌｉｃａ（登録商標）、ＲＦＩＤ(Radio Frequency Identification)などの近接通信や、ユーザを介した人体通信などを用いることができる。本実施形態において、通信ユニット３２は、物品側機器３０Ａが設けられる物品のユーザと接触する位置（例えば、図２（Ａ）に示す柄６１の一部）に設けられる電極部３２１と、電極部３２１を用いて人体通信を行う人体通信部３２２と、を備える。人体通信部３２２は、後述する携帯機器１０Ａの人体通信部１１２と通信し、記憶部３１に記憶された物品側機器３０ＡのＩＤ番号を携帯機器１０Ａに送信する。なお、人体通信には、人体に微弱な電流を流して、その電流を変調して情報を伝達する電流方式や、人体の表面に誘起する電界を変調して情報を伝達する電界方式などがある。本実施形態においては、いずれの方式を用いることも可能である。また、ユーザが素手である場合（すなわち、電極部３２１が手と接触している場合）はもちろん、手袋をしている場合（すなわち、電極部３２１が手と対向している場合）でも、人体通信は可能である。
【００１９】
なお、例えば、靴に対して物品側機器３０Ａを設ける場合には、電極部３２１は、靴のユーザの足に触れる位置（靴の内部側面や、中敷等）に設ければよい。この場合、ユーザが素足である場合（すなわち、電極部３２１が足と接触している場合）はもちろん、靴下を履いている場合（すなわち、電極部３２１が足と対向している場合）でも、人体通信は可能である。
【００２０】
制御部３３は、ＣＰＵ（Central Processing Unit）、ＲＡＭ（Random Access Memory）、ＲＯＭ（Read Only Memory）等を有し、物品側機器３０Ａ全体を制御する。制御部３３が実行する処理の詳細については後述する。
【００２１】
（携帯機器１０Ａ）
携帯機器１０Ａは、ユーザにより携帯された状態で利用される情報機器である。携帯機器１０Ａとしては、携帯電話、スマートフォン、ＰＨＳ（Personal Handy-phone System）、ＰＤＡ（Personal Digital Assistant）等を採用することができるが、本実施形態では、携帯機器１０Ａは、スマートフォンであるものとする。携帯機器１０Ａは、電話機能やインターネット等に接続するための通信機能、および、プログラムを実行するためのデータ処理機能等を有する。なお、携帯機器１０Ａの必要な構成を腕時計、メガネ、補聴器などのユーザが身につける物に設けて携帯機器としてもよい。
【００２２】
図１に示すように、携帯機器１０Ａは、通信ユニット１１と、記憶部１２と、制御部１３と、マイク１４と、撮像部１５と、加速度センサ１６と、位置検出部１７と、カレンダ部１８と、報知部１９と、を備える。
【００２３】
通信ユニット１１は、他の機器と通信を行うものであり、例えばＢｌｕｅｔｏｏｔｈ（登録商標）、Ｆｅｌｉｃａ（登録商標）、ＲＦＩＤなどの近接通信や、人体を介した人体通信などを用いることができる。本実施形態においては、通信ユニット１１は、携帯機器１０Ａの一部（例えばユーザの手が触れる外面）に設けられた電極部１１１と、当該電極部１１１を用いて人体通信を行う人体通信部１１２と、を有する。人体通信部１１２は、ユーザが物品と接触している状態で物品側機器３０Ａと人体通信を行い、前述した物品側機器３０Ａの記憶部３１に記憶されている物品側機器３０ＡのＩＤ番号を、物品側機器３０Ａから受信する。なお、ユーザと携帯機器１０Ａが直接接触している場合はもちろん、手袋を着用している場合（すなわち、電極部１１１が手と対向している場合）や、携帯機器１０Ａが、ユーザの着用している衣服のポケット等に収められている場合でも、人体通信は可能である。
【００２４】
記憶部１２は、例えば、フラッシュメモリ等の不揮発性の半導体メモリや、ハードディスクドライブ等であり、物品側機器３０Ａから受信したＩＤ番号を記憶する。
【００２５】
制御部１３は、ＣＰＵ、ＲＡＭ、ＲＯＭ等を有し、携帯機器１０Ａ全体を制御する。制御部１３は、ユーザの所有する物品に設けられた物品側機器３０Ａと携帯機器１０Ａとをペアリングするペアリング処理や、ユーザが手に取ったり身につけたりした物品がユーザのものか否かを判定する判定処理を行う。制御部１３が実行する各処理の詳細については、後述する。
【００２６】
マイク１４は、携帯機器１０Ａの周囲の音を集音するためのものである。マイク１４が集音した音響データは、制御部１３へ入力される。
【００２７】
撮像部１５は、画像（静止画、動画）を撮像するためのものである。撮像部１５が撮像した画像は、制御部１３へ入力される。
【００２８】
加速度センサ１６は、携帯機器１０Ａの加速度を検出し、検出結果を制御部１３へ出力する。
【００２９】
位置検出部１７は、例えば、ＧＰＳ(Global Positioning System)センサであり、ユーザの位置情報を検出し、制御部１３に出力する。
【００３０】
カレンダ部１８は、年、月、日、時刻といった時間情報を取得して、制御部１３に出力する。
【００３１】
報知部１９は、制御部１３の制御に基づき、制御部１３が実行したペアリング処理や判定処理の結果をユーザに報知するためのものであり、表示部１９１と、スピーカ１９２と、振動部１９３と、を備える。
【００３２】
表示部１９１は、例えば、液晶表示素子を用いたデバイスであり、制御部１３の制御に基づき、ペアリング処理や判定処理の結果を表示する。スピーカ１９２は、制御部１３の制御に基づき、ペアリング処理や判定処理の結果を、音によりユーザに報知する。振動部１９３は、制御部１３の制御に基づき、ペアリング処理や判定処理の結果を、振動によりユーザに報知する。
【００３３】
（ペアリング処理）
次に、図３（Ａ）及び図３（Ｂ）のフローチャートを用いて、物品側機器３０Ａと携帯機器１０Ａとのペアリング処理について説明する。なお、ペアリング処理は、ユーザが、傘や靴など、他人と取り間違えたくない、あるいは取り間違えやすい自己の所有品を携帯機器１０Ａに登録する場合に行われる処理である。
【００３４】
図３（Ａ）は、携帯機器１０Ａの制御部１３が実行する処理の一例を示すフローチャートであり、図３（Ｂ）は、物品側機器３０Ａの制御部３３が実行する処理の一例を示すフローチャートである。本実施形態においては、図３（Ａ）の処理は、ユーザが「初期設定モード」に設定した携帯機器１０Ａを携帯し、ペアリング処理を行いたい物品（傘、靴）を手に持ったり身につけたりする（図２（Ｂ）参照）ことにより携帯機器１０Ａと物品側機器３０Ａとの人体通信が成立すると、開始される。
【００３５】
図３（Ａ）の処理では、まず、ステップＳ１１において、携帯機器１０Ａの制御部１３は、物品側機器３０Ａに対し、人体通信を用いて、ＩＤ番号の送信を要求する。
【００３６】
一方、物品側機器３０Ａの制御部３３は、図３（Ｂ）のステップＳ３１において、携帯機器１０ＡからＩＤ番号の送信要求を受信するまで待機している。そして、制御部３３はＩＤ番号の送信要求を受信すると、ステップＳ３３に移行する。
【００３７】
ステップＳ３３に移行すると、制御部３３は、記憶部３１に記憶されている物品側機器３０ＡのＩＤ番号を携帯機器１０Ａに対して送信し（人体通信し）、ステップＳ３１に戻る。
【００３８】
一方、図３（Ａ）において、制御部１３は、物品側機器３０ＡにＩＤ番号の送信を要求した後、ステップＳ１３において、物品側機器３０ＡからＩＤ番号を受信したか否かを判断する。ここでの判断が否定された場合、制御部１３は、ステップＳ１５に移行し、所定時間（例えば、１０秒）が経過したか否かを判断する。所定時間が経過していない場合には、制御部１３は、ステップＳ１３に戻る。
【００３９】
ＩＤ番号を受信しないまま所定時間が経過した場合、すなわち、ステップＳ１３の判断が否定され、ステップＳ１５の判断が肯定された場合、制御部１３は、ステップＳ１７に移行する。そして、ステップＳ１７において、制御部１３は、ＩＤ番号が受信できない旨を報知し、ステップＳ２３に進む。具体的には、制御部１３は、「物品側機器３０ＡのＩＤ番号が受信できません」との音声をスピーカ１９２から出力したり、同様のメッセージを表示部１９１に表示したりすることによって、報知を行う。また、制御部１３は、振動部１９３によって携帯機器１０Ａを振動させることにより、当該報知を行ってもよい。
【００４０】
一方、所定時間が経過する前にＩＤ番号を受信した場合、すなわち、ステップＳ１５の判断が肯定される前に、ステップＳ１３が肯定された場合、制御部１３は、ステップＳ１９に進む。そして、ステップＳ１９において、制御部１３は、受信したＩＤ番号を記憶部１２に記憶する。これにより、図４に示すペアリング情報テーブルが更新される。ペアリング情報テーブルは、ＩＤ番号の項目を備え、このＩＤ番号の項目に、ステップＳ１３で受信した物品側機器３０ＡのＩＤ番号が格納される。なお、図４に示すペアリング情報テーブルには、ＩＤ番号が１つしか格納されていないが、本実施形態においては、ペアリング情報テーブルは、傘、靴、カバン等にそれぞれ設けられた物品側機器３０ＡのＩＤ番号、すなわち、複数のＩＤ番号を格納することが可能である。
【００４１】
続くステップＳ２１において、制御部１３は、ペアリングが正常に行われた旨を報知し、ステップＳ２３に進む。具体的には、制御部１３は、「ペアリングが正常に終了しました」との音声をスピーカ１９２から出力したり、同様のメッセージを表示部１９１に表示したりすることによって、報知を行う。また、制御部１３は、ステップＳ１７で用いる振動の態様とは異なる態様で、振動部１９３によって携帯機器１０Ａを振動させることにより、当該報知を行ってもよい。
【００４２】
ステップＳ２３に移行すると、制御部１３は、初期設定モードを終了する指示をユーザから受け付けたか否かを判断する。ここでの判断が否定された場合、制御部１３は、ステップＳ１１に戻る。一方、初期設定モードを終了する指示をユーザから受け付けた場合には、制御部１３は、図３（Ａ）の処理を終了する。
【００４３】
以上のペアリング処理により、ユーザは、他人と取り間違えたくない物品（本実施形態では傘）に取り付けられた物品側機器３０Ａの情報を簡単に携帯機器１０Ａの記憶部１２に登録することができる。すなわち、携帯機器１０Ａと物品側機器３０Ａとのペアリングを簡単に行うことができる。携帯機器１０Ａの記憶部１２への登録は、携帯機器１０Ａに電子決済機能がある場合には、この電子決済機能により物品側機器３０Ａを購入して物品側機器３０Ａに触れたことをトリガーとして行ってもよい。または、物品側機器３０Ａが購入された時点で通信ユニット３２を通信可能な状態とし（販売前は通信を不可としておく）、携帯機器１０Ａの位置検出部１７の出力に基づきユーザが所定の場所（例えば自宅）で物体側機器３０Ａを触ったタイミングで行うようにしてもよい。
【００４４】
（判定処理）
次に、図５（Ａ）及び図５（Ｂ）に示すフローチャートを用いて、複数の同種の物品の中からユーザが選んだ物品が、ユーザの所有品であるか否かを判定する判定処理について説明する。なお、本実施形態においては、図５（Ａ）の処理は、ユーザが判定モードに設定した携帯機器１０Ａを携帯し、ペアリング処理済の物品側機器３０Ａを備える物品を手に持ったり身につけたりすることにより、携帯機器１０Ａと物品側機器３０Ａとの人体通信が成立すると、図５（Ａ）の処理が開始される。なお、携帯機器１０Ａを判定モードに設定する代わりに、ユーザが所定の場所（例えば、自宅）から所定距離離れた場合（外出した場合）に、携帯機器１０Ａと物品側機器３０Ａとの人体通信が成立すると、図５（Ａ）の処理が開始されるようにしてもよい。
【００４５】
以下、一例として、雨が降っており、図２（Ｂ）に示すように、ユーザが、判定モードに設定した携帯機器１０Ａを携帯するとともに、携帯機器１０Ａとペアリングした物品側機器３０Ａを備える傘６０Ａを持って飲み会に出かけた場合について、説明する。
【００４６】
図５（Ａ）の処理では、まず、ステップＳ４１において、携帯機器１０Ａの制御部１３は、物品側機器３０Ａとの通信が切断されたか否かを判断する。ユーザが飲み会の会場へと移動している間は、ユーザは傘６０Ａを手にしているため、携帯機器１０Ａと物品側機器３０Ａとの間で人体通信が成立し、ステップＳ４１の判断が繰り返される。そして、ユーザが飲み会の会場に到着し、図２（Ｃ）に示す傘立て９２に傘６０Ａを入れ、傘６０Ａの柄６１から手を離すと、携帯機器１０Ａと物品側機器３０Ａとの間の人体通信が切断される。この場合、ステップＳ４１の判断が肯定され、ステップＳ４２に移行する。なお、物品側機器３０Ａが靴に設けられている場合には、ユーザが靴を脱ぐと、ステップＳ４１の判断が肯定されることになる。
【００４７】
ステップＳ４２に移行すると、制御部１３は、位置検出部１７からユーザ（携帯機器１０Ａ）の位置情報を取得し、カレンダ部１８から日時情報を取得し、当該取得した情報を、通信が切断された物品側機器３０ＡのＩＤ番号と関連付けて記憶部１２に記憶する。本実施形態においては、制御部１３は、ペアリング情報テーブルにおいて、携帯機器１０Ａとペアリングされている物品側機器３０ＡのＩＤ番号“Ａ１２３４５”に、物品側機器３０Ａとの通信が途切れた位置（緯度，経度）と日時とを関連付けて記憶する（図６参照）。
【００４８】
次いで、制御部１３は、ステップＳ４３〜Ｓ４５の判断処理によって、携帯機器１０Ａと物品側機器３０Ａとの通信が成立すべきタイミングを検知する。ここでは、ユーザが飲み会を終え、図２（Ｃ）に示すように、傘立て９２に収納されている複数の傘（物品側機器３０Ａを備える傘６０Ａ，物品側機器３０Ａを備えていない傘６０Ｂ）の中から、物品側機器３０Ａを備える傘６０Ａを取り上げたものとする。
【００４９】
制御部１３は、まず、ステップＳ４３において、ユーザの所定の動作（例えば、傘を取り上げる、靴を履く等）を検知したか否かを判断する。ここで、制御部１３は、マイク１４が集音した音響データと、加速度センサ１６が検出した携帯機器１０Ａの加速度に基づいて、ユーザの動作を認識し、当該認識した動作が、所定の動作か否かを判断する。なお、音響データと加速度に基づく動作の認識は、例えば、文献「大内一成、土井美和子，加速度と音とで日々の生活行動を認識するActivityAnalyzer，インタラクション２０１１」に記載された方法を用いることができる。本実施形態において、制御部１３は、ユーザが傘を取り上げる動作を検知するものとする。ここでは、ユーザが傘６０Ａを取り上げる動作を行ったので、ステップＳ４３の判断が肯定され、制御部１３は、携帯機器１０Ａと物品側機器３０Ａとの通信が成立すべきタイミングを検知したとして、ステップＳ４６に移行する。なお、制御部１３は、周知の画像解析技術を用いて、撮像部１５で撮像した画像を用いてユーザの動作を認識してもよい。
【００５０】
ステップＳ４６に移行すると、制御部１３は、物品側機器３０Ａとの人体通信が成立しているか否かを判断する。上記のように、ユーザが物品側機器３０Ａを備える傘６０Ａを取り上げた場合には、物品側機器３０Ａとの人体通信が成立するので、ステップＳ４６の判断が肯定される。この場合、制御部１３は、ステップＳ４９に移行する。
【００５１】
ステップＳ４９に移行すると、制御部１３は、物品側機器３０ＡにＩＤ番号の送信を要求する。
【００５２】
一方、物品側機器３０Ａの制御部３３は、図５（Ｂ）のステップＳ６１において、携帯機器１０ＡからＩＤ番号の送信要求を受信するまで待機している。そして、携帯機器１０Ａから、ＩＤ番号の送信要求を受信した段階で、ステップＳ６１の判断が肯定され、ステップＳ６３に移行する。
【００５３】
ステップＳ６３に移行すると、制御部３３は、記憶部３１に記憶されている自己のＩＤ番号を携帯機器１０Ａに送信し、ステップＳ６１に戻る。
【００５４】
図５（Ａ）に戻り、携帯機器１０Ａの制御部１３は、ステップＳ５０において、物品側機器３０ＡからＩＤ番号を受信する。次いで、ステップＳ５１において、制御部１３は、ステップＳ５０において受信したＩＤ番号が、ペアリングされている物品側機器３０ＡのＩＤ番号か否かを判断する。具体的には、制御部１３は、ステップＳ５０において受信したＩＤ番号が、図６のペアリング情報テーブルに存在するか否かを判断する。言い換えれば、ステップＳ５１では、受信したＩＤ番号に基づいて、ペアリングした物品側機器３０Ａとの通信が成立しているか否かを判断している。
【００５５】
ここで、ステップＳ５１の判断が否定された場合、ユーザが、物品側機器３０Ａを備える他人の傘を傘立て９２から取り上げたことを意味する。この場合、制御部１３は、ステップＳ４８に移行し、ユーザが自分の傘を持っていない（他人の傘を持っている）旨をユーザに報知する。このとき、制御部１３は、表示部１９１に、ユーザが取り上げた傘が自己の所有品ではない旨や、ユーザが傘を取り間違えている旨を表示してもよいし、スピーカ１９２から警告音を出力してもよいし、振動部１９３により携帯機器１０Ａを振動させてもよい。
【００５６】
一方、ステップＳ５１での判断が肯定された場合、ユーザが、傘立て９２から自身の傘を取り上げたことを意味する。この場合、制御部１３は、ステップＳ５２に移行し、取り上げた傘がユーザの傘（所有品）である旨をユーザに報知する。このとき、制御部１３は、表示部１９１に、ユーザが取り上げた傘がユーザのものである旨を表示してもよいし、ステップＳ４８で出力する音とは異なる音をスピーカ１９２から出力させてもよいし、あるいは、ステップＳ４８の振動の態様とは異なる振動で携帯機器１０Ａを振動させてもよい。なお、ユーザが自身の傘を取り上げた場合には、ユーザに対する報知を行わないこととしてもよい。ステップＳ５２の処理後は、制御部１３は、ステップＳ４１に戻る。
【００５７】
ところで、ステップＳ４６の判断が否定された場合、すなわち、物品側機器３０Ａとの人体通信が成立していない場合には、制御部１３は、ステップＳ４７に進み、所定時間（例えば、１０秒）が経過したか否かを判断する。ステップＳ４７の判断が否定された場合（所定時間が経過していない場合）には、制御部１３は、ステップＳ４６に戻る。一方、ステップＳ４７の判断が肯定された場合（所定時間が経過した場合）には、ステップＳ４８に移行する。なお、ユーザが傘を取り上げる動作を検知した（Ｓ４３：肯定）にも関わらず、物品側機器３０Ａとの人体通信が成立しないまま所定時間が経過した（Ｓ４７：肯定）ということは、ユーザが、物品側機器３０Ａが取り付けられていない傘（他人の傘６０Ｂ）を取り上げたということを意味する。したがって、ステップＳ４８に移行した場合には、制御部１３は、ユーザが自分の傘を持っていない（他人の傘を持っている）旨をユーザに報知し、その後、ステップＳ４６に戻る。
【００５８】
ところで、ステップＳ４３の判断が否定された場合、すなわち所定の動作（傘を取り上げる動作）を制御部１３が検知しない場合には、制御部１３は、ステップＳ４４に移行する。
【００５９】
ステップＳ４４では、制御部１３は、ユーザが物品側機器３０Ａ（他人の物品（傘）に設けられているものも含む）と接触したか否か、すなわち、物品側機器３０Ａとの人体通信が成立したか否かを判断する。ここでの判断が肯定された場合には、制御部１３は、ステップＳ４９に移行し、上述したように、ステップＳ４９以降の処理・判断を実行する。一方、ステップＳ４４の判断が否定された場合（物品側機器３０Ａとの人体通信が成立しない場合）には、制御部１３は、ステップＳ４５に移行する。
【００６０】
ステップＳ４５に移行すると、制御部１３は、ユーザが物品側機器３０Ａとの通信が途切れた位置の近傍にいるか否かを判断する。ユーザが物品側機器３０Ａとの通信が途切れた位置の近傍にいるか否かは、ペアリング情報テーブル（図６）に格納された通信切断場所の情報と、位置検出部１７から取得したユーザの位置情報とにより判断できる。ステップＳ４５の判断が否定された場合、ステップＳ４３に戻るが、肯定された場合には、制御部１３は、ステップＳ５３に移行する。
【００６１】
なお、上記ステップＳ４５では、制御部１３は、物品側機器３０Ａとの通信が途切れた時刻から所定の時間（例えば、１時間）が経過しているか否かをあわせて判断してもよい。これにより、飲み会の途中にトイレ等に行くためにユーザが傘立て９２の近傍を通った場合に、ステップＳ５３以降の処理が行われてしまうのを防ぐことができる。なお、物品側機器３０Ａとの通信が途切れた時刻から所定の時間が経過したか否かは、図６に示すペアリング情報テーブルに格納された通信切断日時の情報と、カレンダ部１８から取得した時刻情報とにより判断できる。
【００６２】
ステップＳ４５の判断が肯定されて、ステップＳ５３に移行すると、制御部１３は、物品側機器３０Ａとの人体通信が成立したか否かを判断する。ここでの判断が否定された場合、制御部１３は、ステップＳ５４に進み、所定時間（例えば、１０秒）が経過したか否かを判断する。ステップＳ５４の判断が肯定された場合（所定時間が経過した場合）には、ステップＳ５５に移行する。なお、物品側機器３０Ａとの通信が途切れた位置の近傍にユーザがいると判断された（Ｓ４５：肯定）にも関わらず、物品側機器３０Ａとの人体通信が成立しないまま所定時間が経過した（Ｓ５４：肯定）ということは、ユーザが、傘を取り忘れているということを意味する。したがって、ステップＳ５５に移行した場合には、制御部１３は、ユーザが自分の傘を持っていない、すなわち、傘を置き忘れている旨をユーザに報知する。
【００６３】
一方、所定時間が経過するまでに物品側機器３０Ａとの人体通信が成立した場合、すなわち、ステップＳ５４の判断が肯定される前に、ステップＳ５３の判断が肯定された場合、制御部１３は、上述したのと同様にに、ステップＳ４９以降の処理・判断を実行する。
【００６４】
このようにして、図５（Ａ）の処理は、ユーザが判定モードを解除するまで繰り返される。
【００６５】
以上、詳細に説明したように、本第１の実施形態によれば、ユーザに保持される携帯機器１０Ａは、ユーザを介した人体通信によりユーザが使用する物品（傘）に備えられた物品側機器３０Ａと通信を行う通信ユニット１１と、通信ユニット１１と物品側機器３０Ａとの通信が成立すべきタイミングを検知する制御部１３と、制御部１３が当該タイミングを検知した場合に、通信ユニット１１と物品側機器３０Ａとの通信状態、すなわち、通信ユニット１１と物品側機器３０Ａとの通信が成立しているか否かに基づき、携帯機器１０Ａとペアリングされた物品側機器３０Ａを備える物品をユーザが持っているか否かを報知する報知部１９と、を備えている。すなわち、携帯機器１０Ａは、通信ユニット１１と物品側機器３０Ａとの通信が成立すべき適切なタイミングで、携帯機器１０Ａとペアリングされた物品側機器３０Ａが設けられた物品をユーザが持っているか否かを報知する。これにより、ユーザは、置き忘れや取り間違い防止に関して特別な操作や作業を行わなくても、適切なタイミングで、所有品の置き忘れや、取り間違いを知ることができる。
【００６６】
また、本第１の実施形態において、通信ユニット１１と物品側機器３０Ａとの通信状態は、携帯機器１０Ａが、物品側機器３０ＡのＩＤ番号を受信したか否かに基づき判定される。これにより、制御部１３は、物品側機器３０Ａが設けられた物品や、ペアリングしていないＩＤ番号を有する物品側機器３０Ａが設けられた物品を、ユーザの所有品でないと判断することができる。
【００６７】
また、本第１の実施形態において、制御部１３は、マイク１４や加速度センサ１６の出力に基づきユーザの動作を検知し、当該ユーザの動作に基づいて、通信ユニット１１と物品側機器３０Ａとの通信が成立すべきタイミングを検知する。これにより、制御部１３は、所定の動作（傘を持ち上げる等）を検知したときに、通信ユニット１１と物品側機器３０Ａとの通信状態に基づいて、ユーザがペアリングされた物品側機器３０Ａが設けられた物品を持っているか否かを判断するので、物品側機器３０Ａが設けられた物品と、物品側機器３０Ａが設けられていない物品とが混在するような場合にも、取り間違えを報知することができる。
【００６８】
また、本第１の実施形態において、制御部１３は、通信ユニット１１との通信が可能な物品側機器３０Ａ（他人の所有品に設けられているものも含む）とユーザとの接触状態に基づいて、通信ユニット１１と物品側機器３０Ａとの通信が成立すべきタイミングを検知する。これにより、制御部１３は、ユーザが物品側機器３０Ａに触れた適切なタイミングで、ユーザの持っている物品がユーザの所有品であるか否かを判定する処理を行うことができる。この場合、制御部１３は、所定の動作（傘を持ち上げる動作等）を検知できなかった場合にも、物品側機器３０Ａとユーザとが接触したタイミングで、ユーザの持っている物品がユーザの所有品であるか否かを判定することができるため、ユーザが物品を取り間違える事態を確実に防止することができる。
【００６９】
また、本第１の実施形態において、携帯機器１０Ａは、ユーザの位置情報を検出する位置検出部１７を備え、制御部１３は、ユーザの位置情報に基づいて、通信ユニット１１と物品側機器３０Ａとの通信が成立すべきタイミングを検知する。これにより、制御部１３は、ユーザが、物品側機器３０Ａとの通信が途切れた場所（傘立て９２の近傍）にいるのに通信ユニット１１と物品側機器３０Ａとの通信が成立しない場合に、ユーザが、物品側機器３０Ａを備える物品（傘６０Ａ）を置き忘れていると判定することができため、ユーザに所有品の置忘れを報知することができる。
【００７０】
なお、上記第１の実施形態において、物品側機器３０Ａは、物品に予め設けられていてもよいし（物品側機器３０Ａが設けられた状態で販売されている）、ユーザは、ペアリング処理を行った物品側機器３０Ａを、自己の所有品に取り付けてもよい。また、携帯機器１０Ａは、スマートフォン等の多機能な端末でなくてもよく、例えば、取り間違え防止に必要な構成のみを備えた専用の端末であってもよい。この場合、ユーザは、ペアリング処理済みの携帯機器１０Ａと物品側機器３０Ａとを購入し、物品側機器３０Ａを自己の所有品に取り付け、携帯機器１０Ａを携帯するようにしてもよい。
【００７１】
なお、上記第１の実施形態において、ユーザが、ペアリング情報テーブル内のデータを適宜削除できるようにしてもよい。これにより、使わなくなった物品や、廃棄した物品に取り付けられていた物品側機器３０ＡのＩＤ番号については、判定処理を行わなくてよくなるため、判定処理の速度を向上させることができる。また、ペアリング情報テーブルに、物品名の項目を設けてもよい。これにより、ユーザは、各ＩＤ番号が、いずれの物品に設けられた物品側機器３０ＡのＩＤ番号であるのかを把握することができる。
【００７２】
《第２の実施形態》
次に、図７〜図９（Ｂ）に基づき、第２の実施形態について説明する。第２の実施形態にかかる電子機器システム５００Ｂは、ユーザがスキー場においてスノーボードをレンタルした場合に用いられるシステムである。
【００７３】
本第２の実施形態にかかる電子機器システム５００Ｂは、図７に示すように、携帯機器１０Ｂと、物品側機器３０Ｂと、を備える。
【００７４】
（携帯機器１０Ｂ）
携帯機器１０Ｂは、第１の実施形態の携帯機器１０Ａと同一の構成のほか、物品側機器３０ＢとＢｌｕｅｔｏｏｔｈ（登録商標）やＦｅｌｉｃａ（登録商標）などの近接通信を行うための通信ユニット２１を備えている。通信ユニット２１は、物品側機器３０Ｂとの近接通信を行うためのアンテナ部２１１と、通信制御部２１２と、を有している。
【００７５】
（物品側機器３０Ｂ）
物品側機器３０Ｂは、第１の実施形態の物品側機器３０Ａと同一の構成のほか、携帯機器１０ＢとＢｌｕｅｔｏｏｔｈ（登録商標）やＦｅｌｉｃａ（登録商標）などの近接通信を行うための通信ユニット３４を備えている。通信ユニット３４は、携帯機器１０Ｂとの近接通信を行うためのアンテナ部３４１と、通信制御部３４２とを有している。なお、本実施形態において、人体通信用の電極部３２１は、図８（Ａ）に示すように、ユーザがスノーボード７０Ａを持つときに、ユーザの手と接触する位置に設けられるものとする。なお、本実施形態においても、ユーザが素手である場合（すなわち、電極部３２１が手と接触している場合）はもちろん、手袋をしている場合（すなわち、電極部３２１が手と対向している場合）でも、人体通信は可能である。
【００７６】
（ペアリング処理）
第２の実施形態においては、ユーザがスキー場でレンタルしたスノーボードに取り付けられた物品側機器３０Ｂと携帯機器１０Ｂとをペアリングするものとする。なお、第２の実施形態のペアリング処理では、携帯機器１０Ｂと物品側機器３０Ｂとのペアリングを、第１の実施形態と同様、人体通信を用いて行ってもよいし、近接通信を用いて行ってもよい。その他の処理は、第１の実施形態のペアリング処理（図３（Ａ），図３（Ｂ））と同様であるため、説明を省略する。
【００７７】
（判定処理）
図９（Ａ）及び図９（Ｂ）は、本第２の実施形態における判定処理を示すフローチャートである。以下、ユーザがたくさんのスノーボードの中から、自己のレンタルしたスノーボードを探し出す場合を例にとり、判定処理について詳細に説明する。なお、図９（Ａ）の処理は、ユーザが判定モードに設定された携帯機器１０Ｂを携帯し、携帯機器１０Ｂと、携帯機器１０Ｂとペアリングされた物品側機器３０Ｂとの間の近接通信が成立した場合（ユーザがスノーボード７０Ａの使用を開始した場合）に開始されるものとする。なお、携帯機器１０Ｂに判定モードを設定する代わりに、携帯機器１０Ｂを保持するユーザが所定の場所（例えば、レンタルショップ）から所定距離離れた場合に、携帯機器１０Ｂと、携帯機器１０Ｂとペアリングされた物品側機器３０Ｂとの間の近接通信が成立すると、図９（Ａ）の処理が開始されるようにしてもよい。
【００７８】
図９（Ａ）の処理では、まず、ステップＳ１０１において、制御部１３は、ペアリングされた物品側機器３０Ｂとの近接通信が切断されたか否かを判断する。本処理は、ユーザが物品側機器３０Ｂが設けられたスノーボードの使用を中断したか否かを判断している。例えば、ユーザが、昼食を食べるために、スノーボードをレストラン前で足から外し、図８（Ｂ）に示すように、スノーボードをラックに立てかけてレストランに向かったとする。この場合、物品側機器３０Ｂとの近接通信が切断されるので、ステップＳ１０１の判断が肯定され、制御部１３は、ステップＳ１０３に移行する。
【００７９】
ステップＳ１０３に移行すると、制御部１３は、位置検出部１７からユーザ（携帯機器１０Ｂ）の位置情報を取得し、カレンダ部１８から日時情報を取得し、当該取得した情報を、携帯機器１０Ｂとペアリングされている物品側機器３０ＢのＩＤ番号と関連付けて記憶部１２に記憶する（図６参照）。
【００８０】
次いで、ステップＳ１０５では、制御部１３は、携帯機器１０Ｂと物品側機器３０Ｂとの近接通信が成立すべきタイミングを検知するまで待機する。本実施形態においては、制御部１３は、ユーザがレストランから出た場合に、携帯機器１０Ｂと物品側機器３０Ｂとの近接通信が成立すべきタイミングであると検知する。なお、制御部１３は、予め記憶部１２に記憶されているレストランの位置情報と、位置検出部１７から取得したユーザの位置情報とに基づいて、ユーザがレストランから出たか否かを判断することができる。ここでは、ユーザがレストランでの食事を終え、レストランの外に出てきたものとする。この場合、ステップＳ１０５の判断が肯定され、ステップＳ１０７に移行する。
【００８１】
ステップＳ１０７に移行すると、制御部１３は、物品側機器３０Ｂとの通信が途切れた位置を、表示部１９１に表示する。例えば、制御部１３は、表示部１９１に地図を表示し、地図上に通信が途切れた位置を表示してもよい。これにより、ユーザは、スノーボードを置いた位置を把握することができるので、自己のスノーボードを探しやすくなる。
【００８２】
次いで、ステップＳ１０９では、制御部１３は、物品側機器３０Ｂとの近接通信の通信状態を報知する。例えば、近接通信をＢｌｕｅｔｏｏｔｈ（登録商標）により行っている場合には、制御部１３が、表示部１９１に、「物品側機器３０Ｂとの通信範囲外にあります」、「物品側機器３０Ｂとの通信範囲内です」等を表示することにより、ユーザは、自身が自己のスノーボードに近づいているか否かを知ることができる。また、例えば、ＲＦＩＤにより近接通信を行っている場合には、制御部１３は、物品側機器３０Ｂとの通信強度の強弱に応じた音をスピーカ１９２から出力してもよい。これにより、ユーザは、スピーカ１９２から出力される音により、自身が、自己のスノーボードに近づいているか否かを知ることができ、スノーボードを探しやすくなる。
【００８３】
次いで、ステップＳ１１１では、制御部１３は、物品側機器３０Ｂとの人体通信が成立すべきタイミングを検知したか否かを判断する。この場合、例えば、制御部１３は、マイク１４が集音した音響データと、加速度センサ１６が検出した携帯機器１０Ｂの加速度に基づいて認識したユーザの動作が、スノーボードを取り上げる動作であった場合に、携帯機器１０Ｂと物品側機器３０Ｂとの人体通信が成立すべきタイミングを検知したと判断する。なお、ここでは、図８（Ｂ）に示すように、ユーザがラックに立てかけてある複数のスノーボード（物品側機器３０Ｂを備えるスノーボード７０Ａ，物品側機器３０Ｂを備えていないスノーボード７０Ｂ）の中から、図８（Ｃ）に示すようにスノーボード７０Ｂを取り上げたとする。この場合、ステップＳ１１１の判断が肯定され、ステップＳ１１３に移行する。
【００８４】
ステップＳ１１３に移行すると、制御部１３は、物品側機器３０Ｂとの人体通信が成立しているか否かを判断する。ここでの判断が否定された場合、ステップＳ１１５に進み、制御部１３は、所定時間（例えば、１０秒）が経過したか否かを判断する。ここでの判断が肯定された場合には、ステップＳ１１７に移行する。なお、図８（Ｃ）に示すように、ユーザが物品側機器３０Ｂを備えていないスノーボード７０Ｂを取り上げた場合には、物品側機器３０Ｂとの人体通信が成立しないまま所定時間が経過するので、制御部１３は、ステップＳ１１７に移行する。
【００８５】
ステップＳ１１７に移行すると、制御部１３は、ユーザがスノーボードを取り間違えている旨をユーザに報知し、ステップＳ１１３に戻る。このとき、制御部１３は、表示部１９１に、ユーザが取り上げたスノーボードが、他人のものである旨を表示してもよいし、スピーカ１９２から警告音を出力してもよいし、あるいは、振動部１９３により携帯機器１０Ｂを振動させてもよい。これにより、ユーザは、取り上げたスノーボードが自分のものではないことを知ることができる。以下、取り上げたスノーボードが自分のものではないと認識したユーザが、スノーボード７０Ｂをラックに返し、物品側機器３０Ｂを備えるスノーボード７０Ａを取り上げたとして、説明を続ける。
【００８６】
ユーザが物品側機器３０Ｂを備えるスノーボード７０Ａを取り上げ、ステップＳ１１３の判断が肯定されると、制御部１３は、ステップＳ１１９に移行する。ステップＳ１１９に移行すると、制御部１３は、物品側機器３０ＢにＩＤ番号の送信を要求する。
【００８７】
これに対し、物品側機器３０Ｂの制御部３３は、図９（Ｂ）のステップＳ１３１において、携帯機器１０ＢからＩＤ番号の送信要求を受信するまで待機している。したがって、制御部３３は、携帯機器１０ＢからＩＤ番号の送信要求を受信した段階で、ステップＳ１３１の判断が肯定され、ステップＳ１３３に移行する。ステップＳ１３３に移行すると、制御部３３は、記憶部３１に記憶されている自己のＩＤ番号を携帯機器１０Ｂに送信し、ステップＳ１３１に戻る。
【００８８】
図９（Ａ）に戻り、携帯機器１０Ｂの制御部１３は、ステップＳ１２１において、物品側機器３０ＢからＩＤ番号を受信する。次いで、ステップＳ１２３では、制御部１３は、ステップＳ１２１において受信したＩＤ番号が、ペアリングされている物品側機器３０ＢのＩＤ番号か否か（ペアリング情報テーブルに存在するか否か）を判断する。すなわち、制御部１３は、ペアリングした物品側機器３０Ｂとの人体通信が成立しているか否かを判断する。
【００８９】
ステップＳ１２３での判断が否定された場合、ユーザが、物品側機器３０Ｂを備える他人のスノーボードを取り上げたことを意味する。この場合、制御部１３は、ステップＳ１１７に移行し、スノーボードを取り間違えている旨をユーザに報知する。
【００９０】
一方、ステップＳ１２３での判断が肯定された場合、ユーザが、自己のスノーボードを取り上げたことを意味する。この場合、制御部１３は、ステップＳ１２５に移行し、取り上げたスノーボードがユーザのものである（取り間違えていない）旨をユーザに報知する。このとき、制御部１３は、その旨を表示部１９１に表示してもよいし、ステップＳ１１７で出力する音とは異なる音をスピーカ１９２から出力してもよい。あるいは、制御部１３は、ステップＳ１１７の振動の態様とは異なる振動で携帯機器１０Ｂを振動させてもよい。ステップＳ１２５の処理後は、制御部１３は、ステップＳ１０１に戻る。
【００９１】
このようにして、図９（Ａ）の処理は、ユーザが判定モードを解除するまで繰り返される。
【００９２】
以上、詳細に説明したように、本第２の実施形態によれば、ユーザが保持する携帯機器１０Ｂは、ユーザを介した人体通信により物品側機器３０Ｂと通信を行う通信ユニット１１と、近距離通信により物品側機器３０Ｂと通信を行う通信ユニット２１と、通信ユニット１１および通信ユニット２１と、スノーボードに設けられた物品側機器３０Ｂとの通信が成立すべきタイミングを検知する制御部１３と、制御部１３が当該タイミングを検知した場合に、通信ユニット１１と物品側機器３０Ｂとの通信状態に基づき、ユーザが選択したスノーボードが、ペアリングした物品側機器３０Ｂが設けられたスノーボードであるか否かを報知する報知部１９と、を備えている。このように、通信ユニット１１および通信ユニット２１と、スノーボードに設けられた物品側機器３０Ｂとの通信が成立すべき適切なタイミングで、ユーザが選択したスノーボードが、ペアリングした物品側機器３０Ｂが設けられたスノーボードであるか否かを報知するので、たくさんのスノーボードの中から自己のレンタルしたものを選択する場合において、他人のスノーボードと取り間違える事態を防止することができる。
【００９３】
また、本第２の実施形態において、表示部１９１、スピーカ１９２、および振動部１９３は、通信ユニット２１と物品側機器３０Ｂとの通信状態（通信強度）に応じて、表示形式や、音声、振動態様を変えて、ペアリングした物品側機器３０Ｂとユーザ（携帯機器１０Ｂ）との位置関係（遠い、近い）を報知する。これにより、ユーザは、自身が、自己のスノーボードに近づいているのか否かを知ることができ、スノーボードを探すのに費やす時間を短縮することができる。
【００９４】
また、表示部１９１は、通信ユニット２１と物品側機器３０Ｂとの通信が途切れた位置を報知するので、ユーザは、スノーボードを置いたおおよその位置を知ることができ、自己のスノーボードを探すのに費やす時間を短縮することができる。
【００９５】
なお、上記第２の実施形態において、物品側機器３０Ｂは、レンタル用のスノーボードに設けられていたが、これに限られるものではない。ユーザが物品側機器３０Ｂを自己の所有するスノーボードに設けてもよい。また、スノーボードに限らず、スキー板やスキーウェア、スケート靴、ボーリングの球などに設けてもよい。また、携帯機器１０Ｂは、スマートフォン等の多機能を有するものではなく、例えば、取り間違え防止に必要な構成のみを備えた専用の端末であってもよい。この場合、例えば、レンタルショップの店員が、携帯機器１０Ｂと物品側機器３０Ｂとを予めペアリングしておき、物品側機器３０Ｂが設けられたスノーボードの貸し出し時に、当該物品側機器３０Ｂとペアリングされた携帯機器１０Ｂを合わせてユーザに貸し出せばよい。
【００９６】
《第３の実施形態》
次に、図１０〜図１２（Ｂ）に基づき、第３の実施形態について説明する。第３の実施形態にかかる電子機器システム５００Ｃは、立食パーティ等において、グラスの取り間違えを防止するために用いられるシステムである。
【００９７】
図１０には、第３の実施形態に係る電子機器システム５００Ｃがブロック図にて示されている。図１０に示すように、電子機器システム５００Ｃは、携帯機器１０Ｃと、物品側機器３０Ｃと、を備えている。
【００９８】
（携帯機器１０Ｃ）
携帯機器１０Ｃは、ユーザにより携帯された状態で利用される情報機器である。なお、以下の説明において、携帯機器１０Ｃは、取り間違え防止用の専用端末であり、パーティの参加者は全員携帯するものの、給仕係（ウェイター，ウェイトレス）は携帯しないものとする。
【００９９】
携帯機器１０Ｃは、図１０に示すように、通信ユニット１１と、記憶部１２と、制御部１３と、マイク１４と、加速度センサ１６と、を備える。
【０１００】
通信ユニット１１は、他の機器と通信を行うものであり、例えばＢｌｕｅｔｏｏｔｈ（登録商標）、Ｆｅｌｉｃａ（登録商標）、ＲＦＩＤなどの近接通信や、人体を介した人体通信などを用いることができる。本実施形態においては、通信ユニット１１は、携帯機器１０Ｃの筐体の一部に設けられユーザと接触する電極部１１１と、当該電極部１１１を用いて人体通信を行う人体通信部１１２と、を有する。人体通信部１１２は、ユーザが物品側機器３０Ｃが設けられたグラスを持っている状態で物品側機器３０Ｃと人体通信を行い、後述する記憶部１２に記憶されている携帯機器１０ＣのＩＤ番号を物品側機器３０Ｃに送信する。なお、ユーザと携帯機器１０Ｃとが直接接触している場合はもちろん、手袋を着用している場合（すなわち、電極部１１１が手と対向している場合）や、携帯機器１０Ｃが、ユーザの着用している衣服のポケット等に収められている場合でも、人体通信は可能である。
【０１０１】
記憶部１２は、例えば、フラッシュメモリ等の不揮発性の半導体メモリや、ハードディスクドライブ等であり、携帯機器１０Ｃを識別するための情報を格納する。本実施形態においては、記憶部１２は、携帯機器１０ＣのＩＤ番号を記憶するものとする。
【０１０２】
制御部１３は、ＣＰＵ、ＲＡＭ、ＲＯＭ等を有し、携帯機器１０Ｃ全体を制御する。制御部１３が実行する処理の詳細については、後述する。
【０１０３】
マイク１４は、携帯機器１０Ｃの周囲の音を集音するためのものである。マイク１４が集音した音響データは、制御部１３へ入力される。
【０１０４】
加速度センサ１６は、携帯機器１０Ｃの加速度を検出し、検出結果を制御部１３へ出力する。
【０１０５】
（物品側機器３０Ｃ）
物品側機器３０Ｃは、図１１（Ａ）に示すように、パーティ会場で使用されるグラス８０に設けられる。本実施形態においては、パーティ会場で使用される全てのグラス８０に物品側機器３０Ｃが設けられているものとする。図１０および図１１（Ａ）に示すように、物品側機器３０Ｃは、記憶部３１と、通信ユニット３２と、制御部３３と、加速度センサ３５と、表示部３６と、を備える。
【０１０６】
記憶部３１は、例えば、フラッシュメモリ等の不揮発性の半導体メモリであり、携帯機器１０Ｃから受信した、携帯機器１０Ｃを認識するための情報（ＩＤ番号）を格納する。
【０１０７】
通信ユニット３２は、他の機器と通信を行うものであり、例えばＢｌｕｅｔｏｏｔｈ（登録商標）、Ｆｅｌｉｃａ（登録商標）、ＲＦＩＤなどの近接通信や、ユーザを介した人体通信などを用いることができる。本実施形態において、通信ユニット３２は、グラス８０の一部（ユーザの手が接触する外周面（図１１（Ａ）参照））に設けられる電極部３２１と、電極部３２１を用いて人体通信を行う人体通信部３２２と、を有する。人体通信部３２２は、携帯機器１０Ｃの人体通信部１１２と通信し、携帯機器１０Ｃから、携帯機器１０ＣのＩＤ番号を受信する。なお、ユーザが素手である場合（すなわち、電極部３２１が手と接触している場合）はもちろん、手袋をしている場合（すなわち、電極部３２１が手と対向している場合）でも、人体通信は可能である。
【０１０８】
制御部３３は、ＣＰＵ、ＲＡＭ、ＲＯＭ等を有し、物品側機器３０Ｃ全体を制御する。制御部３３が実行する処理の詳細については、後述する。
【０１０９】
加速度センサ３５は、物品側機器３０Ｂの加速度を検出し、検出結果を制御部３３に出力する。なお、本実施形態において、制御部３３および加速度センサ３５は、図１１（Ａ）に示すグラス８０の底部に位置する電子部品収納部８１に格納されている。
【０１１０】
表示部３６は、後述するペアリング処理や判定処理の結果をユーザに報知するためのものであり、本実施形態においては、青色ＬＥＤと赤色ＬＥＤとを備える。表示部３６は、制御部３３の制御の下、青色ＬＥＤを点灯したり、赤色ＬＥＤを点灯したりする。
【０１１１】
次に、携帯機器１０Ｃの制御部１３が実行する処理および物品側機器３０Ｃの制御部３３が実行する処理の一例について、図１２（Ａ），図１２（Ｂ）のフローチャートを用いて説明する。本実施形態において、図１２（Ａ）の処理は、パーティの参加者であるユーザが携帯機器１０Ｃの電源をＯＮすると開始され、図１２（Ｂ）の処理は、給仕係等が物品側機器３０Ｃの電源をＯＮすると開始される。
【０１１２】
図１２（Ａ）の処理では、まず、ステップＳ２０１において、携帯機器１０Ｃの制御部１３が、物品側機器３０Ｃとの人体通信が成立すべきタイミングを検知するまで待機する。本実施形態では、制御部１３は、マイク１４が集音した音響データと、加速度センサ１６が検出した携帯機器１０Ｃの加速度に基づいてユーザの動作を認識する。そして、制御部１３は、認識した動作がグラスを取り上げる動作であった場合に、携帯機器１０Ｃと物品側機器３０Ｃとの通信が成立すべきタイミングを検知したと判断する。例えば、携帯機器１０Ｃを携帯しパーティ会場に入場したユーザが、新しいグラスを取り上げた場合、制御部１３は、ステップＳ２０３に移行する。
【０１１３】
ステップＳ２０３に移行すると、制御部１３は、物品側機器３０Ｃとの人体通信が成立するまで待機する。そして、物品側機器３０Ｃとの人体通信が成立すると、制御部１３は、ステップＳ２０５に移行する。ステップＳ２０５に移行すると、制御部１３は、記憶部１２に記憶されている携帯機器１０ＣのＩＤ番号を、物品側機器３０Ｃに送信し、ステップＳ２０１に戻る。
【０１１４】
一方、物品側機器３０Ｃの制御部３３は、図１２（Ｂ）のステップＳ２２１において、加速度センサ３５の出力に基づき、グラスが取り上げられるまで待機する。制御部３３は、例えば、加速度センサ３５が検出したグラスの加速度がしきい値以上であった場合に、グラスが取り上げられたと判断する。ユーザがグラスを取り上げた場合、制御部３３は、ステップＳ２２３に移行する。
【０１１５】
ステップＳ２２３に移行すると、制御部３３は、携帯機器１０Ｃとの間で人体通信が成立したか否かを判断する。ここでの判断が否定された場合、ステップＳ２２５に進み、制御部１３は、所定時間（例えば、１０秒）が経過したか否かを判断する。所定時間が経過していない場合には、制御部１３は、ステップＳ２２３に戻る。ここで、パーティの参加者は、携帯機器１０Ｃを携帯しているため、パーティの参加者がグラス８０を取り上げると所定時間内に携帯機器１０Ｃとの間で人体通信が成立するはずである。すなわち、ステップＳ２２５の判断が肯定される前に、ステップＳ２２３の判断が肯定されるということは、グラスを持ち上げたのがパーティの参加者であることを意味する。ステップＳ２２３の判断が肯定され、ステップＳ２２７に移行すると、制御部３３は、携帯機器１０Ｃから、携帯機器１０ＣのＩＤ番号を受信する。
【０１１６】
次いで、ステップＳ２２９では、制御部３３は、記憶部１２に記憶されているペアリング情報テーブルに、ＩＤ番号が既に格納されているか否かを判断する。ここでの判断が否定された場合、制御部３３は、ステップＳ２３１に移行する。なお、ステップＳ２２９の判断が否定されるのは、ユーザがグラス８０を初めて取り上げたためである。
【０１１７】
ステップＳ２３１に移行すると、制御部３３は、人体通信が成立した携帯機器１０ＣのＩＤ番号を記憶部１２のペアリング情報テーブルに記憶する。これにより、携帯機器１０Ｃと、ユーザが取り上げたグラス８０に設けられた物品側機器３０Ｃとがペアリングされる。なお、本実施形態において、ペアリング情報テーブルは、携帯機器１０ＣのＩＤ番号を１つのみ記憶するものとする。
【０１１８】
次いで、ステップＳ２３３では、制御部３３は、ペアリングが正常に行われた旨をユーザに報知する。例えば、表示部３６が備える青色ＬＥＤを１回点灯させる。これにより、ユーザは、自身が携帯する携帯機器１０Ｃと、グラスとをペアリングできたことを確認することができる。
【０１１９】
次いで、ユーザが、パーティの途中で、飲み物がまだ入っているグラスをテーブルに置き、しばらくしてまた、テーブル上のグラスを取り上げた場合について説明する。この場合、図１２（Ａ）の処理において、ステップＳ２０１およびＳ２０３の判断が肯定される。そして、携帯機器１０Ｃの制御部１３は、ステップＳ２０５においてＩＤ番号を送信し、ステップＳ２０１に戻る。
【０１２０】
一方、物品側機器３０Ｂの制御部３３は、図１２（Ｂ）の処理において、ステップＳ２２１〜Ｓ２２７の処理を実行し、ステップＳ２２９の判断を行う。ここで、一度誰かによって使用されたグラス８０に設けられた物品側機器３０Ｃのペアリング情報テーブルには、誰かのＩＤ番号が既に格納されている。したがって、このような場合には、図１２（Ｂ）のステップＳ２２９の判断が肯定され、制御部３３は、ステップＳ２３５に移行する。
【０１２１】
ステップＳ２３５に移行すると、制御部３３は、ステップＳ２２７で受信したＩＤ番号が、ペアリングされた携帯機器１０ＣのＩＤ番号であるか否かを判断する。すなわち、制御部３３は、ステップＳ２２７で受信したＩＤ番号が、ペアリング情報テーブルに格納されているＩＤ番号と一致するか否かを判断する。
【０１２２】
例えば、ユーザが取り上げたグラスが、他の参加者が使用していたグラスである場合、ステップＳ２２７で受信したＩＤ番号が、ペアリング情報テーブルに格納されているＩＤ番号と一致しない。したがって、このような場合には、ステップＳ２３５の判断が否定され、制御部３３は、ステップＳ２３９において、取り上げたグラスが、ユーザのグラスではない旨を報知する。例えば、制御部３３は、表示部３６が備える赤色ＬＥＤを２回点灯させる。これにより、ユーザは、自身が取り上げたグラスが自分が使用したものではないことを知ることができるので、他の参加者が使用したグラスを誤って使用してしまう事態を避けることができる。
【０１２３】
一方、ユーザが取り上げたグラスが、ユーザが使用していたグラスである場合、ステップＳ２２７で受信したＩＤ番号が、ペアリング情報テーブルに格納されているＩＤ番号と一致する。したがって、このような場合には、ステップＳ２３５の判断が肯定され、制御部３３は、ステップＳ２３７において、取り上げたグラスが、ユーザのグラスである旨を報知する。例えば、制御部３３は、表示部３６が備える青色ＬＥＤを２回点灯させる。これにより、ユーザは、自分が正しいグラスを取り上げたことを確認することができる。ステップＳ２３７の処理後は、ステップＳ２２１に戻る。
【０１２４】
その後、ユーザが飲み物を全て飲み終え、テーブルに置いたグラスを給仕係が片付けるために取り上げたとする（ステップＳ２２１／ＹＥＳ）。ここで、給仕係は、携帯機器１０Ｃを携帯していないため、給仕係がグラスを取り上げた場合には、所定時間が経過しても携帯機器１０Ｃとの間で人体通信が成立しない。したがって、ステップＳ２２３の判断が否定され、かつステップＳ２２５の判断が肯定されるため、制御部３３は、ステップＳ２４１に移行する。
【０１２５】
ステップＳ２４１に移行すると、制御部３３は、記憶部３１に記憶されているペアリング情報テーブルを初期化する。すなわち、制御部３３は、ペアリング情報テーブル内に格納されたＩＤ番号を消去し、ペアリング情報テーブルを空にする。これにより、給仕係によって片付けられ、洗浄された新たなグラスを使用する場合に、ペアリング情報テーブルに新たなＩＤ番号を格納できるようになる。なお、制御部３３は、ステップＳ２４１において、ペアリング情報テーブルが空になったことを、表示部３６の青色ＬＥＤを所定時間点灯させる等して、給仕係に報知してもよい。
【０１２６】
以上のようにして、物品側機器３０Ｃは、電源がＯＦＦされるまで、図１２（Ｂ）の処理を繰り返す。
【０１２７】
以上詳細に説明したように、本第３の実施形態によれば、グラス８０に設けられた物品側機器３０Ｃが、ユーザを介した人体通信により携帯機器１０Ｃと通信を行う通信ユニット３２と、通信ユニット３２と携帯機器１０Ｃとの通信が成立すべきタイミングを検知する制御部３３と、制御部１３が当該タイミングを検知した場合に、通信ユニット３２と携帯機器１０Ｃとの通信状態に基づき、ユーザが取り上げたグラスが備える物品側機器３０Ｃが、携帯機器１０Ｃとペアリングされた物品側機器３０Ｃであるか否かを報知する表示部３６と、を備えている。このように、通信ユニット３２と、グラス８０に設けられた物品側機器３０Ｃとの通信が成立すべき適切なタイミングで、ユーザが保持した（取り上げた）グラスが、携帯機器１０Ｃとペアリングされたグラスであるか否かを報知するので、たくさんのグラスの中から、自身が使用したグラスを選択する場合において、他人が使用したグラスを取り間違える事態を防止することができる。
【０１２８】
なお、上記第３の実施形態において、携帯機器１０Ｃは、取り間違え防止用の専用端末であるとしたが、これに限られるものではない。例えば、携帯機器１０Ｃは、第１および第２の実施形態のように、スマートフォンであってもよい。
【０１２９】
なお、上記第３の実施形態では、物品側機器３０Ｃをグラスに設けた場合について説明したが、これに限られるものではない。例えば、箸やスプーン、フォーク、皿などの食器に物品側機器３０Ｃを設けることとしてもよい。また、その他の物品に関し、たくさんの物品の中から、自己が一度使用した物品を選ぶ必要がある場合に、本第３の実施形態の電子機器システム５００Ｃを用いることとしてもよい。
【０１３０】
上述した実施形態は本発明の好適な実施の例である。但し、これに限定されるものではなく、本発明の要旨を逸脱しない範囲内において種々変形実施可能である。
【符号の説明】
【０１３１】
１０Ａ，１０Ｂ，１０Ｃ  携帯機器
３０Ａ，３０Ｂ，３０Ｃ  物品側機器
１１  通信ユニット
１３  制御部
１９  報知部
２１  通信ユニット
３２  通信ユニット
３３  制御部
３６  表示部
【図１】
2014174811.tif 000003
【図２】
2014174811.tif 000004
【図３】
2014174811.tif 000005
【図４】
2014174811.tif 000006
【図５】
2014174811.tif 000007
【図６】
2014174811.tif 000008
【図７】
2014174811.tif 000009
【図８】
2014174811.tif 000010
【図９】
2014174811.tif 000011
【図１０】
2014174811.tif 000012
【図１１】
2014174811.tif 000013
【図１２】
2014174811.tif 000014